(57)【要約】【課題】両面印刷された文書が閲覧し難いという問題を解決することが可能な画像形成装置および方法、プリンタドライバを提供する。【解決手段】画像入力部が画像データを入力し、条件指定部により条件（用紙向き、綴じ方向および文書の読み方向）が指定され、指定された条件に基づき、付加情報設定部が付加情報を設定し、即ち、ステープル位置設定手段がステープルの位置を設定し、めくりマーク位置設定手段がめくりマークの位置を設定し、引っ繰り返しマーク位置設定手段が引っ繰り返しマークの位置を設定し、綴じ方向マーク位置設定手段が綴じ方向マークの位置を設定し、印刷画像形成部が画像データに付加情報を設定し、当該画像データに基づいて印刷画像を形成し、形成した印刷画像を画像出力装置に送信する。【選択図】図１
2006268318.tif 000002
【特許請求の範囲】
【請求項１】
画像を入力する画像入力手段と、
前記画像入力手段で入力した画像を印刷する用紙に関する条件を指定する条件指定手段と、
前記条件指定手段で指定された条件に基づき、前記画像に付加する付加情報を設定する付加情報設定手段と、
前記付加情報設定手段で設定した付加情報を前記画像に付加する画像処理手段と、
前記画像処理手段で前記付加情報を付加した画像に基づき、両面印刷のための印刷画像を形成する印刷画像形成手段と
を具備することを特徴とする画像形成装置。
【請求項２】
前記付加情報設定手段は、
前記条件に基づき、前記用紙の綴じ位置または該綴じ位置の数を設定する綴じ位置設定手段と、
前記条件に基づき、前記用紙の表面に印字する画像に対して第１のマークを印字する位置を設定する第１のマーク位置設定手段と、
前記条件に基づき、前記用紙の裏面に印字する画像に対して第２のマークを印字する位置を設定する第２のマーク位置設定手段と、
前記条件に基づき、前記画像を印字する用紙の綴じ方向を示す綴じ方向マークを印字する位置を該画像に対して設定する綴じ方向マーク位置設定手段と
を少なくとも１つ具備することを特徴とする請求項１記載の画像形成装置。
【請求項３】
前記第１のマークは、
ステープルで綴じられた前記画像を印字した複数の用紙を閲覧する場合、前記第１のマークが印字されているページをめくることで、次ページに進むことができる旨を示し、
前記第２のマークは、
ステープルで綴じられた前記画像を印字した複数の用紙を閲覧する場合、該複数の用紙全体を引っ繰り返すことで、前記第２のマークが印字されているページから隣接するページに進むことができる旨を示す
ことを特徴とする請求項２記載の画像形成装置。
【請求項４】
前記第１のマーク位置設定手段は、
前記条件毎の前記第１のマークの推奨位置を予め用意し、
前記第２のマーク位置設定手段は、
前記条件毎の前記第２のマークの推奨位置を予め用意する
ことを特徴とする請求項２記載の画像形成装置。
【請求項５】
前記条件は、
前記画像を印字する用紙の向き、該用紙の綴じ方向、該画像の読み方向のうち少なくとも１つである
ことを特徴とする請求項１記載の画像形成装置。
【請求項６】
前記画像処理手段は、
前記綴じ位置設定手段が設定した綴じ位置に基づき、前記画像に対して該綴じ位置を示すマークを付加する
ことを特徴とする請求項１記載の画像形成装置。
【請求項７】
前記画像処理手段が前記付加情報を付加した画像をプレビューとして表示装置に表示する
ことを特徴とする請求項１記載の画像形成装置。
【請求項８】
画像を入力し、
該入力した画像を印刷する用紙に関する条件を指定し、
該指定された条件に基づき、前記画像に付加する付加情報を設定し、
該設定した付加情報を前記画像に付加し、
前記付加情報を付加した画像に基づき、両面印刷のための印刷画像を形成する
ことを特徴とする画像形成方法。
【請求項９】
前記付加情報の設定は、
前記条件に基づき、前記用紙の綴じ位置または該綴じ位置の数を設定し、
前記条件に基づき、前記用紙の表面に印字する画像に対して第１のマークを印字する位置の設定と、
前記条件に基づき、前記用紙の裏面に印字する画像に対して第２のマークを印字する位置の設定と、
前記条件に基づき、前記画像に対する該画像を印字する用紙の綴じ方向を示す綴じ方向マークを印字する位置の設定と
の少なくとも１つである
ことを特徴とする請求項８記載の画像形成方法。
【請求項１０】
前記第１のマークは、
ステープルで綴じられた前記画像を印字した複数の用紙を閲覧する場合、前記第１のマークが印字されているページをめくることで、次ページに進むことができる旨を示し、
前記第２のマークは、
ステープルで綴じられた前記画像を印字した複数の用紙を閲覧する場合、該複数の用紙全体を引っ繰り返すことで、前記第２のマークが印字されているページから隣接するページに進むことができる旨を示す
ことを特徴とする請求項９記載の画像形成方法。
【請求項１１】
前記条件毎の前記第１のマークの推奨位置を予め用意し、
前記条件毎の前記第２のマークの推奨位置を予め用意する
ことを特徴とする請求項９記載の画像形成方法。
【請求項１２】
前記条件は、
前記画像を印字する用紙の向き、該用紙の綴じ方向、該画像の読み方向のうち少なくとも１つである
ことを特徴とする請求項８記載の画像形成方法。
【請求項１３】
前記設定した綴じ位置に基づき、前記画像に対して該綴じ位置を示すマークを付加する
ことを特徴とする請求項８記載の画像形成方法。
【請求項１４】
前記付加情報を付加した画像をプレビューとして表示装置に表示する
ことを特徴とする請求項８記載の画像形成方法。
【請求項１５】
アプリケーションから受け付けたデータを印刷する用紙に関する条件の指定を受け付ける処理と、
該指定された条件に基づき、前記データに付加する付加情報を設定する処理と、
該設定した付加情報を前記データに付加する処理と、
前記付加情報を付加したデータに基づき、両面印刷のための印刷画像を形成する処理と
をコンピュータに動作させることを特徴とするプリンタドライバ。
【請求項１６】
前記条件に基づき、前記用紙の綴じ位置または該綴じ位置の数を設定する処理と、
前記条件に基づき、前記用紙の表面に印字するデータに対して第１のマークを印字する位置を設定する処理と、
前記条件に基づき、前記用紙の裏面に印字するデータに対して第２のマークを印字する位置を設定する処理と、
前記条件に基づき、前記データを印字する用紙の綴じ方向を示す綴じ方向マークを印字する位置を該データに対して設定する処理と
を少なくとも１つコンピュータに動作させることを特徴とする請求項１５記載のプリンタドライバ。
【請求項１７】
前記第１のマークは、
ステープルで綴じられた前記データを印字した複数の用紙を閲覧する場合、前記第１のマークが印字されているページをめくることで、次ページに進むことができる旨を示し、
前記第２のマークは、
ステープルで綴じられた前記データを印字した複数の用紙を閲覧する場合、該複数の用紙全体を引っ繰り返すことで、前記第２のマークが印字されているページから隣接するページに進むことができる旨を示す
ことを特徴とする請求項１６記載のプリンタドライバ。
【請求項１８】
前記条件毎の前記第１のマークの推奨位置を予め用意し、
前記条件毎の前記第２のマークの推奨位置を予め用意する
ことを特徴とする請求項１６記載のプリンタドライバ。
【請求項１９】
前記条件は、
前記データを印字する用紙の向き、該用紙の綴じ方向、該データの読み方向のうち少なくとも１つである
ことを特徴とする請求項１５記載のプリンタドライバ。
【請求項２０】
前記設定した綴じ位置に基づき、前記データに対して該綴じ位置を示すマークを付加する処理
をコンピュータに動作させることを特徴とする請求項１５記載のプリンタドライバ。
【請求項２１】
前記付加情報を付加したデータをプレビューとして表示装置に表示する
ことを特徴とする請求項１５記載のプリンタドライバ。
【発明の詳細な説明】
【技術分野】
【０００１】
本発明は、画像形成装置および方法、プリンタドライバに関し、特に、両面印刷機能を有する画像形成装置および方法、プリンタドライバに関する。
【背景技術】
【０００２】
環境問題等を考慮して資源節約のため、文書は両面印刷されることが増えている。ステープル機能を有する複写機で両面印刷を行い、ステープル綴じを行った文書を読んでいる途中に綴じ方向（長辺／短辺）、ステープルの場所を忘れてしまい、あるページから次のページへのめくり方が分かり辛い或いは推測できないという問題がある。
【０００３】
例えば、図に示すように、１枚目の用紙の表面が１ページ目、裏面が２ページ目、２枚目の用紙の表面が３ページ目、裏面が４ページ目…という構成の１ページずつ読み進める（即ち、見開きができない）文書をユーザが読む場合、ユーザは「現在のページが表面ならばページをめくり、裏面ならば文書全体を引っ繰り返す」ということを常に意識しなければならない。更に、偶数ページ目（即ち、裏面）から奇数ページ目（即ち、表面）へめくる時、文書の綴じ方向を忘れると、文書を引っ繰り返す方向が上下なのか左右なのかを推測することができない。
【０００４】
例えば、出力される画像に対して付加されるマークの位置がページ毎に異なるように制御することで、ページの欠落を容易に発見することが可能な画像形成装置がある（例えば、特許文献１参照。）。
【０００５】
また、例えば、用紙の端部に印刷されたページマーク、部マーク、表裏マークを利用者がチェックするだけで、束（部）の仕分け、ページ順、紙の表裏方向の統一性等を容易にチェックすることが可能な画像出力装置および画像出力方法およびプログラムおよび記憶媒体がある（例えば、特許文献２参照。）。
【特許文献１】特開平１１−６５３６３号公報
【特許文献２】特開２００４−２０２８５２号公報
【発明の開示】
【発明が解決しようとする課題】
【０００６】
しかし、特許文献１に記載の技術、および特許文献２に記載の技術の主な目的は、乱れたページを整理するためであり、綴じ方向、ステープルの場所といった情報から、ページをめくり易いように付加情報の印字場所を決定するものではない。従って、上述した問題を解決することは困難である。
【０００７】
そこで、本発明は、ユーザが指定した用紙向き、綴じ方向、閲覧方向、ステープルの位置に基づき、ページめくりを示すマーク、および文書の引っ繰り返しを示すマークを文書の分かり易い場所に印字することで、両面印刷された文書が閲覧し難いという問題を解決することが可能な画像形成装置および方法、プリンタドライバを提供することを目的とする。
【課題を解決するための手段】
【０００８】
上記目的を達成するため、請求項１の発明は、画像を入力する画像入力手段と、前記画像入力手段で入力した画像を印刷する用紙に関する条件を指定する条件指定手段と、前記条件指定手段で指定された条件に基づき、前記画像に付加する付加情報を設定する付加情報設定手段と、前記付加情報設定手段で設定した付加情報を前記画像に付加する画像処理手段と、前記画像処理手段で前記付加情報を付加した画像に基づき、両面印刷のための印刷画像を形成する印刷画像形成手段とを具備することを特徴とする。
【０００９】
また、請求項２の発明は、請求項１の発明において、前記付加情報設定手段は、前記条件に基づき、前記用紙の綴じ位置または該綴じ位置の数を設定する綴じ位置設定手段と、前記条件に基づき、前記用紙の表面に印字する画像に対して第１のマークを印字する位置を設定する第１のマーク位置設定手段と、前記条件に基づき、前記用紙の裏面に印字する画像に対して第２のマークを印字する位置を設定する第２のマーク位置設定手段と、前記条件に基づき、前記画像を印字する用紙の綴じ方向を示す綴じ方向マークを印字する位置を該画像に対して設定する綴じ方向マーク位置設定手段とを少なくとも１つ具備することを特徴とする。
【００１０】
また、請求項３の発明は、請求項２の発明において、前記第１のマークは、ステープルで綴じられた前記画像を印字した複数の用紙を閲覧する場合、前記第１のマークが印字されているページをめくることで、次ページに進むことができる旨を示し、前記第２のマークは、ステープルで綴じられた前記画像を印字した複数の用紙を閲覧する場合、該複数の用紙全体を引っ繰り返すことで、前記第２のマークが印字されているページから隣接するページに進むことができる旨を示すことを特徴とする。
【００１１】
なお、隣接するページとは、次ページまたは前ページのことを示す。
【００１２】
また、請求項４の発明は、請求項２の発明において、前記第１のマーク位置設定手段は、前記条件毎の前記第１のマークの推奨位置を予め用意し、前記第２のマーク位置設定手段は、前記条件毎の前記第２のマークの推奨位置を予め用意することを特徴とする。
【００１３】
また、請求項５の発明は、請求項１の発明において、前記条件は、前記画像を印字する用紙の向き、該用紙の綴じ方向、該画像の読み方向のうち少なくとも１つであることを特徴とする。
【００１４】
また、請求項６の発明は、請求項１の発明において、前記画像処理手段は、前記綴じ位置設定手段が設定した綴じ位置に基づき、前記画像に対して該綴じ位置を示すマークを付加することを特徴とする。
【００１５】
また、請求項７の発明は、請求項１の発明において、前記画像処理手段が前記付加情報を付加した画像をプレビューとして表示装置に表示することを特徴とする。
【００１６】
また、請求項８の発明は、画像を入力し、該入力した画像を印刷する用紙に関する条件を指定し、該指定された条件に基づき、前記画像に付加する付加情報を設定し、該設定した付加情報を前記画像に付加し、前記付加情報を付加した画像に基づき、両面印刷のための印刷画像を形成することを特徴とする。
【００１７】
また、請求項９の発明は、請求項８の発明において、前記付加情報の設定は、前記条件に基づき、前記用紙の綴じ位置または該綴じ位置の数を設定し、前記条件に基づき、前記用紙の表面に印字する画像に対して第１のマークを印字する位置の設定と、前記条件に基づき、前記用紙の裏面に印字する画像に対して第２のマークを印字する位置の設定と、前記条件に基づき、前記画像に対する該画像を印字する用紙の綴じ方向を示す綴じ方向マークを印字する位置の設定との少なくとも１つであることを特徴とする。
【００１８】
また、請求項１０の発明は、請求項９の発明において、前記第１のマークは、ステープルで綴じられた前記画像を印字した複数の用紙を閲覧する場合、前記第１のマークが印字されているページをめくることで、次ページに進むことができる旨を示し、前記第２のマークは、ステープルで綴じられた前記画像を印字した複数の用紙を閲覧する場合、該複数の用紙全体を引っ繰り返すことで、前記第２のマークが印字されているページから隣接するページに進むことができる旨を示すことを特徴とする。
【００１９】
また、請求項１１の発明は、請求項９の発明において、前記条件毎の前記第１のマークの推奨位置を予め用意し、前記条件毎の前記第２のマークの推奨位置を予め用意することを特徴とする。
【００２０】
また、請求項１２の発明は、請求項８の発明において、前記条件は、前記画像を印字する用紙の向き、該用紙の綴じ方向、該画像の読み方向のうち少なくとも１つであることを特徴とする。
【００２１】
また、請求項１３の発明は、請求項８の発明において、前記設定した綴じ位置に基づき、前記画像に対して該綴じ位置を示すマークを付加することを特徴とする。
【００２２】
また、請求項１４の発明は、請求項８の発明において、前記付加情報を付加した画像をプレビューとして表示装置に表示することを特徴とする。
【００２３】
また、請求項１５の発明は、アプリケーションから受け付けたデータを印刷する用紙に関する条件の指定を受け付ける処理と、該指定された条件に基づき、前記データに付加する付加情報を設定する処理と、該設定した付加情報を前記データに付加する処理と、前記付加情報を付加したデータに基づき、両面印刷のための印刷画像を形成する処理とをコンピュータに動作させることを特徴とする。
【００２４】
また、請求項１６の発明は、請求項１５の発明において、前記条件に基づき、前記用紙の綴じ位置または該綴じ位置の数を設定する処理と、前記条件に基づき、前記用紙の表面に印字するデータに対して第１のマークを印字する位置を設定する処理と、前記条件に基づき、前記用紙の裏面に印字するデータに対して第２のマークを印字する位置を設定する処理と、前記条件に基づき、前記データを印字する用紙の綴じ方向を示す綴じ方向マークを印字する位置を該データに対して設定する処理とを少なくとも１つコンピュータに動作させることを特徴とする。
【００２５】
また、請求項１７の発明は、請求項１６の発明において、前記第１のマークは、ステープルで綴じられた前記データを印字した複数の用紙を閲覧する場合、前記第１のマークが印字されているページをめくることで、次ページに進むことができる旨を示し、前記第２のマークは、ステープルで綴じられた前記データを印字した複数の用紙を閲覧する場合、該複数の用紙全体を引っ繰り返すことで、前記第２のマークが印字されているページから隣接するページに進むことができる旨を示すことを特徴とする。
【００２６】
また、請求項１８の発明は、請求項１６の発明において、前記条件毎の前記第１のマークの推奨位置を予め用意し、前記条件毎の前記第２のマークの推奨位置を予め用意することを特徴とする。
【００２７】
また、請求項１９の発明は、請求項１５の発明において、前記条件は、前記データを印字する用紙の向き、該用紙の綴じ方向、該データの読み方向のうち少なくとも１つであることを特徴とする。
【００２８】
また、請求項２０の発明は、請求項１５の発明において、前記設定した綴じ位置に基づき、前記データに対して該綴じ位置を示すマークを付加する処理をコンピュータに動作させることを特徴とする。
【００２９】
また、請求項２１の発明は、請求項１５の発明において、前記付加情報を付加したデータをプレビューとして表示装置に表示することを特徴とする。
【発明の効果】
【００３０】
本発明によれば、使用者はステープルと反対側にあるめくりマークを見れば、ページをめくるべきか引っ繰り返すべきか、および操作方向を瞬時に判断できるという効果を奏する。
【００３１】
更に、本発明によれば、使用者が用紙向き、綴じ方向および読み方向を指定すれば、ステープルの位置および数、めくりマークの印字位置、引っ繰り返しマークの印字位置がデフォルトの推奨位置に従って自動的に設定できるので、使用者の設定の手間を省くことができるという効果を奏する。
【００３２】
更に、本発明によれば、左利きの使用者や読み方向が逆の場合でも、類推してデフォルトの推奨位置を決定することができるという効果を奏する。
【００３３】
更に、本発明によれば、ステープルを搭載していない機種においても、ステープルマークを印字してめくりマークおよび引っ繰り返しマークと併用することで、実際にステープルで綴じなくても、ほぼ同様なめくり易い効果を得ることができるという効果を奏する。
【００３４】
更に、本発明によれば、ステープルがコーナーにある時、綴じ方向を示す直線を印字してめくりマークおよび引っ繰り返しマークと併用することで、更にめくり易い効果を得ることができるという効果を奏する。
【００３５】
更に、本発明によれば、プレビュー機能を搭載して事前に出力イメージを確認できれば、ステープルの位置やめくりマークおよび引っ繰り返しマークの印字位置の指定ミスを防ぐことができるという効果を奏する。
【００３６】
更に、本発明によれば、両面印刷のページがめくり易くなることで、両面印刷が励行され、資源節約にも貢献できるという効果を奏する。
【発明を実施するための最良の形態】
【００３７】
以下、本発明に係る画像形成装置および方法、プリンタドライバの実施の形態について添付図面を参照して詳細に説明する。
【実施例１】
【００３８】
実施例１では、本発明に係る画像形成装置について説明する。
【００３９】
図１は、本発明に係る画像形成装置１の機能的な構成の一例を示すブロック図である。
【００４０】
図１に示すように、画像形成装置１は、画像入力部２、条件指定部３、付加情報設定部４、印刷画像形成部５を具備して構成され、印刷画像を用紙等に印字して出力する両面印刷機能付きの画像出力装置６と接続している。
【００４１】
画像入力部２は、画像を入力する処理を行うものであり、例えば、複写機、スキャナ等で読み取った画像データ、ＰＣ等からネットワークを介して送信された画像データを受け付ける処理、またはＣＤ等の記憶媒体に格納された画像データを読み取る処理を行う。
【００４２】
条件指定部３は、画像データを出力する際の用紙向き、綴じ方向および文書の読み方向を指定する処理を行う。
【００４３】
付加情報設定部４は、用紙に対するステープルの位置を設定するステープル位置設定手段７と、用紙に印字するめくりマークの位置を設定するめくりマーク位置設定手段８と、用紙に印字する引っ繰り返しマークの位置を設定する引っ繰り返しマーク位置設定手段９と、用紙に印字する綴じ方向マークの位置を設定する綴じ方向マーク位置設定手段１０とを有する。
【００４４】
ステープル位置設定手段７は、条件指定部３で指定された用紙向き、綴じ方向および文書の読み方向に基づいて用紙に対するステープルの位置を設定する。具体的に、ステープルの位置としては、用紙の左上、右上、左下、右下等がある。更に、条件によってはステープルの数が複数になる場合もある。なお、ステープル機能が付いていない画像出力装置６でも、ステープル位置設定手段７で設定したステープルの位置にステープルマークを印字することも可能である。また、条件指定部３でユーザの所望のステープルの位置を指定することも可能である。
【００４５】
めくりマーク位置設定手段８は、条件指定部３で指定された用紙向き、綴じ方向および文書の読み方向に基づき、「現在閲覧しているページの裏面に次ページが印字されているので、次ページに読み進める際にはページをめくる必要有り」の旨をユーザに示すめくりマークの位置を設定する。
【００４６】
引っ繰り返しマーク位置設定手段９は、条件指定部３で指定された用紙向き、綴じ方向および文書の読み方向に基づき、「現在閲覧しているページから隣接するページ（即ち、次ページまたは前ページ）に読み進める際には文書全体を引っ繰り返す必要有り」の旨をユーザに示す引っ繰り返しマークの位置を設定する。
【００４７】
綴じ方向マーク位置設定手段１０は、条件指定部３で指定された綴じ方向に基づいて文書の綴じ方向を示すマーク（例えば、直線等）の位置を設定する。
【００４８】
印刷画像形成部５は、画像入力部２が入力した画像データに付加情報設定部４で設定された各付加情報を付加し、当該画像データに基づいてビットマップイメージ等の印刷画像を形成する処理を行う。そして、印刷画像形成部５で形成された印刷画像は画像出力装置６に送信される。
【００４９】
次に、画像形成装置で行われる画像形成処理について図２に示すフローチャートを参照して説明する。
【００５０】
画像入力部が画像データを入力し（ステップＳ２０１）、条件指定部により条件（用紙向き、綴じ方向および文書の読み方向）が指定され（ステップＳ２０２）、指定された条件に基づき、付加情報設定部が付加情報を設定し、即ち、ステープル位置設定手段がステープルの位置を設定し、めくりマーク位置設定手段がめくりマークの位置を設定し、引っ繰り返しマーク位置設定手段が引っ繰り返しマークの位置を設定し、綴じ方向マーク位置設定手段が綴じ方向マークの位置を設定し（ステップＳ２０３）、印刷画像形成部が画像データに付加情報を設定し、当該画像データに基づいて印刷画像を形成し（ステップＳ２０４）、形成した印刷画像を画像出力装置に送信し（ステップＳ２０５）、画像形成処理を終了する。
【００５１】
次に、付加情報設定部４による付加情報の設定について具体的な例を参照して説明する。
【００５２】
図３は、付加情報の設定の一例を示す図である。
【００５３】
条件指定部３において、「用紙向き＝横」、「綴じ方向＝短辺」および「読み方向＝左→右」を指定すると、図３（ａ）に示すように、表面において、ステープル位置１１は用紙の左上に設定され、めくりマーク１２の矢印の向きは左向きに設定され、めくりマーク１２の位置は用紙の右下に設定され、裏面において、ステープル位置１１は右上に設定され、引っ繰り返しマーク１３の位置は左下に設定される。
【００５４】
従って、ユーザは、図３（ａ）に示す表面のページを閲覧している際に、右下に印字されためくりマーク１２と、めくりマーク１２の矢印の向きを見ることで、ページの右端をめくれば、次ページに読み進めることが瞬時に判断することができ、図３（ａ）に示す裏面のページを閲覧している際に、左下に印字された引っ繰り返しマーク１３を見ることで、文書全体を引っ繰り返せば、次ページに読み進めることが瞬時に判断することができる。
【００５５】
なお、図３（ａ）に示すステープル位置１１、めくりマーク１２および引っ繰り返しマーク１３の位置は、各設定手段が推奨する推奨位置であり、これはデフォルトとして設定されてある（この推奨位置を画像出力装置の仕様において設定し、不揮発性メモリに記憶すると更に便利である。）。ただし、図３（ｂ）に示すめくりマーク印字領域１４内であれば、ユーザの自由でめくりマーク１２を設定することができ、更に、図３（ｂ）に示す引っ繰り返しマーク印字領域１５内であれば、ユーザの自由で引っ繰り返しマーク１３を設定することができる。
【００５６】
図４は、付加情報の設定の一例を示す図である。
【００５７】
条件指定部３において、「用紙向き＝横」、「綴じ方向＝短辺」および「読み方向＝右→左」を指定すると、図４（ａ）に示すように、表面において、ステープル位置は用紙の右上に設定され、めくりマークの矢印の向きは右向きに設定され、めくりマークの位置は用紙の左下に設定され、裏面において、ステープル位置は左上に設定され、引っ繰り返しマークの位置は右下に設定される。
【００５８】
従って、ユーザは図４（ａ）に示す表面のページを閲覧している際に、左下に印字されためくりマークと、めくりマークの矢印の向きを見ることで、ページの左端をめくれば、次ページに読み進めることが瞬時に判断することができ、図４（ａ）に示す裏面のページを閲覧している際に、右下に印字された引っ繰り返しマークを見ることで、文書全体を引っ繰り返せば、次ページに読み進めることが瞬時に判断することができる。
【００５９】
なお、図４（ａ）に示すステープル、めくりマークおよび引っ繰り返しマークの位置は、各設定手段が推奨する推奨位置であり、これはデフォルトとして設定されてある。ただし、図４（ｂ）に示すめくりマーク印字領域内であれば、ユーザの自由でめくりマークを設定することができ、更に、図４（ｂ）に示す引っ繰り返しマーク印字領域内であれば、ユーザの自由で引っ繰り返しマークを設定することができる。
【００６０】
図５は、付加情報の設定の一例を示す図である。
【００６１】
条件指定部において、「用紙向き＝横」、「綴じ方向＝短辺」および「読み方向＝左→右」を指定した際に、綴じ方向マークの印字も指定すると、図５に示すように、ステープル位置、めくりマークおよび引っ繰り返しマークの設定とともに、表面の用紙において、綴じ方向マークは用紙の左端側に設定され、裏面の用紙において、綴じ方向マーク１６は用紙の右端側に設定される。
【００６２】
従って、ユーザは図５に示す表面のページを閲覧している際に、左端側に印字された綴じ方向マーク１６を見ることで、文書がどちら側に綴じられているか分かるため、めくりマークの矢印を見なくても、ページの右端をめくれば良いことが瞬時に判断することができ、図５に示す裏面のページを閲覧している際に、右端側に印字された綴じ方向マーク１６を見ることで、文書がどちら側に閉じられているか分かるため、文書全体を右端側から引っ繰り返せば良いことが瞬時に判断することができる。
【００６３】
なお、画像形成装置１は、設定された付加情報をユーザが確認するため、図示しないディスプレイ等の表示装置に、ステープル位置にステープルのマーク付加し、めくりマークの位置にめくりマークを付加し、引っ繰り返しマークの位置に引っ繰り返しマークを付加し、綴じ方向マークの位置に綴じ方向マークを付加した印刷イメージをプレビューとして表示することが可能である。
【００６４】
図３、４、５に示すようなものをプレビューとして表示することも可能である。
【００６５】
図６は、「用紙向き＝横」、「綴じ方向＝短辺」および「読み方向＝左→右」を指定した際の付加情報の設定の一例を示す図である。
【００６６】
図６（ａ）は、ステープル位置を表面の左上に、且つ裏面の右上に設定した場合の付加情報の設定の一例を示す図である。図６（ａ）に示すように、表面において、めくりマークの矢印の向きは左向きに設定され、めくりマーク印字領域は用紙の下端側と右端側とに設定され、綴じ方向マークは用紙の左端側に設定される。なお、めくりマークの推奨位置は、図６（ａ）に示すような用紙の右端側の中央である。また、図６（ａ）に示すように、裏面において、引っ繰り返しマーク印字領域は用紙の下端側と左端側とに設定され、綴じ方向マークは用紙の右端側に設定される。なお、引っ繰り返しマークの推奨位置は、図６（ａ）に示すような用紙の左端側の中央である。
【００６７】
図６（ｂ）は、ステープル位置を表面の右上に、且つ裏面の左上に設定した場合の付加情報の設定の一例を示す図である。図６（ｂ）に示すように、表面において、めくりマークの矢印の向きは右向きに設定され、めくりマーク印字領域は用紙の下端側と左端側とに設定され、綴じ方向マークは用紙の左端側に設定される。なお、めくりマークの推奨位置は、図６（ｂ）に示すような用紙の左下である。また、図６（ｂ）に示すように、裏面において、引っ繰り返しマーク印字領域は用紙の下端側と右端側とに設定され、綴じ方向マークは用紙の右端側に設定される。なお、引っ繰り返しマークの推奨位置は、図６（ｂ）に示すような用紙の右下である。
【００６８】
図６（ｃ）は、ステープル位置を表面の右下に、且つ裏面の左下に設定した場合の付加情報の設定の一例を示す図である。図６（ｃ）に示すように、表面において、めくりマークの矢印の向きは右向きに設定され、めくりマーク印字領域は用紙の上端側と左端側とに設定され、綴じ方向マークは用紙の左端側に設定される。なお、めくりマークの推奨位置は、図６（ｃ）に示すような用紙の左上である。また、図６（ｃ）に示すように、裏面において、引っ繰り返しマーク印字領域は用紙の上端側と右端側とに設定され、綴じ方向マークは用紙の右端側に設定される。なお、引っ繰り返しマークの推奨位置は、図６（ｃ）に示すような用紙の右上である。
【００６９】
図６（ｄ）は、ステープル位置を表面の左下に、且つ裏面の右下に設定した場合の付加情報の設定の一例を示す図である。図６（ｄ）に示すように、表面において、めくりマークの矢印の向きは左向きに設定され、めくりマーク印字領域は用紙の上端側と右端側とに設定され、綴じ方向マークは用紙の左端側に設定される。なお、めくりマークの推奨位置は、図６（ｄ）に示すような用紙の右端側の中央である。また、図６（ｄ）に示すように、裏面において、引っ繰り返しマーク印字領域は用紙の上端側と左端側とに設定され、綴じ方向マークは用紙の右端側に設定される。なお、引っ繰り返しマークの推奨位置は、図６（ｄ）に示すような用紙の左端側の中央である。
【００７０】
図７は、「用紙向き＝横」、「綴じ方向＝長辺」および「読み方向＝左→右」を指定した際の付加情報の設定の一例を示す図である。
【００７１】
図７（ａ）は、ステープル位置を表面の左上に、且つ裏面の左下に設定した場合の付加情報の設定の一例を示す図である。図７（ａ）に示すように、表面において、めくりマークの矢印の向きは上向きに設定され、めくりマーク印字領域は用紙の下端側と右端側とに設定され、綴じ方向マークは用紙の上端側に設定される。なお、めくりマークの推奨位置は、図７（ａ）に示すような用紙の下端側の中央である。また、図７（ａ）に示すように、裏面において、引っ繰り返しマーク印字領域は用紙の上端側と右端側とに設定され、綴じ方向マークは用紙の下端側に設定される。なお、引っ繰り返しマークの推奨位置は、図７（ａ）に示すような用紙の上端側の中央である。
【００７２】
図７（ｂ）は、ステープル位置を表面の右上に、且つ裏面の右下に設定した場合の付加情報の設定の一例を示す図である。図７（ｂ）に示すように、表面において、めくりマークの矢印の向きは上向きに設定され、めくりマーク印字領域は用紙の下端側と左端側とに設定され、綴じ方向マークは用紙の上端側に設定される。なお、めくりマークの推奨位置は、図７（ｂ）に示すような用紙の下端側の中央である。また、図７（ｂ）に示すように、裏面において、引っ繰り返しマーク印字領域は用紙の上端側と左端側とに設定され、綴じ方向マークは用紙の下端側に設定される。なお、引っ繰り返しマークの推奨位置は、図７（ｂ）に示すような用紙の上端側の中央である。
【００７３】
図７（ｃ）は、ステープル位置を表面の右下に、且つ裏面の右上に設定した場合の付加情報の設定の一例を示す図である。図７（ｃ）に示すように、表面において、めくりマークの矢印の向きは下向きに設定され、めくりマーク印字領域は用紙の上端側と左端側とに設定され、綴じ方向マークは用紙の上端側に設定される。なお、めくりマークの推奨位置は、図７（ｃ）に示すような用紙の左上である。また、図７（ｃ）に示すように、裏面において、引っ繰り返しマーク印字領域は用紙の下端側と左端側とに設定され、綴じ方向マークは用紙の下端側に設定される。なお、引っ繰り返しマークの推奨位置は、図７（ｃ）に示すような用紙の左下である。
【００７４】
図７（ｄ）は、ステープル位置を表面の左下に、且つ裏面の左上に設定した場合の付加情報の設定の一例を示す図である。図７（ｄ）に示すように、表面において、めくりマークの矢印の向きは下向きに設定され、めくりマーク印字領域は用紙の上端側と右端側とに設定され、綴じ方向マークは用紙の上端側に設定される。なお、めくりマークの推奨位置は、図７（ｄ）に示すような用紙の右上である。また、図７（ｄ）に示すように、裏面において、引っ繰り返しマーク印字領域は用紙の下端側と右端側とに設定され、綴じ方向マークは用紙の下端側に設定される。なお、引っ繰り返しマークの推奨位置は、図７（ｄ）に示すような用紙の右下である。
【００７５】
図８は、「用紙向き＝縦」、「綴じ方向＝短辺」および「読み方向＝左→右」を指定した際の付加情報の設定の一例を示す図である。
【００７６】
図８（ａ）は、ステープル位置を表面の左上に、且つ裏面の左下に設定した場合の付加情報の設定の一例を示す図である。図８（ａ）に示すように、表面において、めくりマークの矢印の向きは上向きに設定され、めくりマーク印字領域は用紙の下端側と右端側とに設定され、綴じ方向マークは用紙の上端側に設定される。なお、めくりマークの推奨位置は、図８（ａ）に示すような用紙の下端側の中央である。また、図８（ａ）に示すように、裏面において、引っ繰り返しマーク印字領域は用紙の上端側と右端側とに設定され、綴じ方向マークは用紙の下端側に設定される。なお、引っ繰り返しマークの推奨位置は、図８（ａ）に示すような用紙の上端側の中央である。
【００７７】
図８（ｂ）は、ステープル位置を表面の右上に、且つ裏面の右下に設定した場合の付加情報の設定の一例を示す図である。図８（ｂ）に示すように、表面において、めくりマークの矢印の向きは上向きに設定され、めくりマーク印字領域は用紙の下端側と左端側とに設定され、綴じ方向マークは用紙の上端側に設定される。なお、めくりマークの推奨位置は、図８（ｂ）に示すような用紙の下端側の中央である。また、図８（ｂ）に示すように、裏面において、引っ繰り返しマーク印字領域は用紙の上端側と左端側とに設定され、綴じ方向マークは用紙の下端側に設定される。なお、引っ繰り返しマークの推奨位置は、図８（ｂ）に示すような用紙の上端側の中央である。
【００７８】
図８（ｃ）は、ステープル位置を表面の右下に、且つ裏面の右上に設定した場合の付加情報の設定の一例を示す図である。図８（ｃ）に示すように、表面において、めくりマークの矢印の向きは下向きに設定され、めくりマーク印字領域は用紙の上端側と左端側とに設定され、綴じ方向マークは用紙の上端側に設定される。なお、めくりマークの推奨位置は、図８（ｃ）に示すような用紙の左上である。また、図８（ｃ）に示すように、裏面において、引っ繰り返しマーク印字領域は用紙の下端側と左端側とに設定され、綴じ方向マークは用紙の下端側に設定される。なお、引っ繰り返しマークの推奨位置は、図８（ｃ）に示すような用紙の左下である。
【００７９】
図８（ｄ）は、ステープル位置を表面の左下に、且つ裏面の左上に設定した場合の付加情報の設定の一例を示す図である。図８（ｄ）に示すように、表面において、めくりマークの矢印の向きは下向きに設定され、めくりマーク印字領域は用紙の上端側と右端側とに設定され、綴じ方向マークは用紙の上端側に設定される。なお、めくりマークの推奨位置は、図８（ｄ）に示すような用紙の右上である。また、図８（ｄ）に示すように、裏面において、引っ繰り返しマーク印字領域は用紙の下端側と右端側とに設定され、綴じ方向マークは用紙の下端側に設定される。なお、引っ繰り返しマークの推奨位置は、図８（ｄ）に示すような用紙の右下である。
【００８０】
図９は、「用紙向き＝縦」、「綴じ方向＝長辺」および「読み方向＝左→右」を指定した際の付加情報の設定の一例を示す図である。
【００８１】
図９（ａ）は、ステープル位置を表面の左上に、且つ裏面の右上に設定した場合の付加情報の設定の一例を示す図である。図９（ａ）に示すように、表面において、めくりマークの矢印の向きは左向きに設定され、めくりマーク印字領域は用紙の下端側と右端側とに設定され、綴じ方向マークは用紙の左端側に設定される。なお、めくりマークの推奨位置は、図９（ａ）に示すような用紙の右端側の中央である。また、図９（ａ）に示すように、裏面において、引っ繰り返しマーク印字領域は用紙の下端側と左端側とに設定され、綴じ方向マークは用紙の右端側に設定される。なお、引っ繰り返しマークの推奨位置は、図９（ａ）に示すような用紙の左端側の中央である。
【００８２】
図９（ｂ）は、ステープル位置を表面の右上に、且つ裏面の左上に設定した場合の付加情報の設定の一例を示す図である。図９（ｂ）に示すように、表面において、めくりマークの矢印の向きは右向きに設定され、めくりマーク印字領域は用紙の下端側と左端側とに設定され、綴じ方向マークは用紙の左端側に設定される。なお、めくりマークの推奨位置は、図９（ｂ）に示すような用紙の左下である。また、図９（ｂ）に示すように、裏面において、引っ繰り返しマーク印字領域は用紙の下端側と右端側とに設定され、綴じ方向マークは用紙の右端側に設定される。なお、引っ繰り返しマークの推奨位置は、図９（ｂ）に示すような用紙の右下である。
【００８３】
図９（ｃ）は、ステープル位置を表面の右下に、且つ裏面の左下に設定した場合の付加情報の設定の一例を示す図である。図９（ｃ）に示すように、表面において、めくりマークの矢印の向きは右向きに設定され、めくりマーク印字領域は用紙の上端側と左端側とに設定され、綴じ方向マークは用紙の左端側に設定される。なお、めくりマークの推奨位置は、図９（ｃ）に示すような用紙の左上である。また、図９（ｃ）に示すように、裏面において、引っ繰り返しマーク印字領域は用紙の上端側と右端側とに設定され、綴じ方向マークは用紙の右端側に設定される。なお、引っ繰り返しマークの推奨位置は、図９（ｃ）に示すような用紙の右上である。
【００８４】
図９（ｄ）は、ステープル位置を表面の左下に、且つ裏面の右下に設定した場合の付加情報の設定の一例を示す図である。図９（ｄ）に示すように、表面において、めくりマークの矢印の向きは左向きに設定され、めくりマーク印字領域は用紙の上端側と右端側とに設定され、綴じ方向マークは用紙の左端側に設定される。なお、めくりマークの推奨位置は、図９（ｄ）に示すような用紙の右端側の中央である。また、図９（ｄ）に示すように、裏面において、引っ繰り返しマーク印字領域は用紙の上端側と左端側とに設定され、綴じ方向マークは用紙の右端側に設定される。なお、引っ繰り返しマークの推奨位置は、図９（ｄ）に示すような用紙の左端側の中央である。
【実施例２】
【００８５】
実施例２では、実施例１で説明した画像形成装置と同様な機能を有するプリンタドライバをＰＣ等にインストールした構成について説明する。
【００８６】
図１０は、ＰＣ１７にインストールされた本発明に係るプリンタドライバ１８の機能的な構成の一例を示すブロック図である。
【００８７】
図１０に示すように、ＰＣ１７には本発明に係るプリンタドライバ１８およびアプリケーションプログラム（以後、アプリケーションと称する）１９がインストールされ、これらは図示しないＯＳの制御下で、ＯＳの機能を利用して各種処理を実行する。また、ＰＣ１７にはキーボードまたはマウス等の入力装置２０、ディスプレイ等の表示装置２１が接続されている。なお、上述したＰＣ１７に関する構成部以外の構成部に付いては図示しないため、説明は省略する。
【００８８】
プリンタドライバ１８は、その機能として、データ受付部２２、ＵＩ制御部２３、付加情報設定部、データ処理部２４、ジョブ作成部２５から構成される。
【００８９】
データ受付部２２は、ＰＣ１７にインストールされた各種のアプリケーションから出力される文書、グラフィックまたは画像等のデータを受け付ける処理を行う。
【００９０】
ＵＩ制御部２３は、表示装置２１に表示するプリンタドライバＵＩ画面の表示制御の処理、および入力装置２２から入力された指示を受け付け、受け付けた指示を解釈して各構成部にコマンドとして通知する処理を行う。なお、ＵＩ制御部２３は、画像データを出力する際の用紙向き、綴じ方向および文書の読み方向を指定する処理を行う条件指定部３を有する。ここで、この条件指定部３は、実施例１で説明した条件指定部と同様な機能を有する。
【００９１】
付加情報設定部４は、用紙に対するステープルの位置を設定するステープル位置設定手段７と、用紙に印字するめくりマークの位置を設定するめくりマーク位置設定手段８と、用紙に印字する引っ繰り返しマークの位置を設定する引っ繰り返しマーク位置設定手段９と、用紙に印字する綴じ方向マークの位置を設定する綴じ方向マーク位置設定手段１０とを有する。ここで、この付加情報設定部４は、実施例１で説明した付加情報設定部４と同様な機能を有する。
【００９２】
データ処理部２４は、データ受付部２２が受け付けたデータに付加情報設定部４で設定された各付加情報を付加する処理を行う。
【００９３】
ジョブ作成部２５は、データ処理部２４で処理したデータに基づいてプリンタ制御コードを作成し、作成したプリンタ制御コードをジョブとして画像出力装置６に送信する処理を行う。
【００９４】
なお、付加情報設定部４による付加情報の設定については、実施例１で説明した具体的な例と同様であるため、詳細な説明は省略する。
【００９５】
ここで、本発明に係るプリンタドライバ１８は、データ処理部２４で各付加情報を付加したデータを表示装置２１にプレビューとして表示することができる。この場合のプリンタドライバ１８の機能的な処理動作は、データ処理部２４が各付加情報を付加したデータをＵＩ制御部２３に渡し、ＵＩ制御部２３は各付加情報を付加したデータを受け取ると、受け取ったデータを表示装置２１に表示することである。
【００９６】
なお、ドキュメントハンドリングソフトウェアに実施例１で説明した画像形成装置１と同様な機能を付加する構成も適用可能である。
【図面の簡単な説明】
【００９７】
【図１】本発明に係る画像形成装置の機能的な構成の一例を示すブロック図である。
【図２】画像形成装置で行われる画像形成処理を示すフローチャートである。
【図３】付加情報の設定の一例を示す図である。
【図４】付加情報の設定の一例を示す図である。
【図５】付加情報の設定の一例を示す図である。
【図６】「用紙向き＝横」、「綴じ方向＝短辺」および「読み方向＝左→右」を指定した際の付加情報の設定の一例を示す図である。
【図７】「用紙向き＝横」、「綴じ方向＝長辺」および「読み方向＝左→右」を指定した際の付加情報の設定の一例を示す図である。
【図８】「用紙向き＝縦」、「綴じ方向＝短辺」および「読み方向＝左→右」を指定した際の付加情報の設定の一例を示す図である。
【図９】「用紙向き＝縦」、「綴じ方向＝長辺」および「読み方向＝左→右」を指定した際の付加情報の設定の一例を示す図である。
【図１０】ＰＣにインストールされた本発明に係るプリンタドライバの機能的な構成の一例を示すブロック図である。
【符号の説明】
【００９８】
１    画像形成装置
２    画像入力部
３    条件指定部
４    付加情報設定部
５    印刷画像形成部
６    画像出力装置
７    ステープル位置設定手段
８    めくりマーク位置設定手段
９    引っ繰り返しマーク位置設定手段
１０    綴じ方向マーク位置設定手段
１１    ステープル位置
１２    めくりマーク
１３    引っ繰り返しマーク
１４    めくりマーク印字領域
１５    引っ繰り返しマーク印字領域
１６    綴じ方向マーク
１７    ＰＣ
１８    プリンタドライバ
１９    アプリケーション
２０    入力装置
２１    表示装置
２２    データ受付部
２３    ＵＩ制御部
２４    データ処理部
２５    ジョブ作成部
【図１】
2006268318.tif 000003
【図２】
2006268318.tif 000004
【図３】
2006268318.tif 000005
【図４】
2006268318.tif 000006
【図５】
2006268318.tif 000007
【図６】
2006268318.tif 000008
【図７】
2006268318.tif 000009
【図８】
2006268318.tif 000010
【図９】
2006268318.tif 000011
【図１０】
2006268318.tif 000012